(57)【要約】  無線通信システムにおけるリソースの配分および管理を容易にするシステムおよび方法を説明する。本明細書で説明するとおり、リソースグリッド構造を利用して所与のチャネル（例：物理アップリンク制御チャネル（ＰＵＣＣＨ））に対応する各ユーザにリソースを配分することができる。１つまたは複数の循環桁送りおよび１組の４つの直交カバーを使用してリソースグリッドを作成し、リソース利用の効率を高めることができる。さらに、１つまたは複数のリソース配分機能によりユーザインデックスに基づき各ユーザにリソースグリッドのスロットを配分することができる。例えば、リソース配分機能は、増加循環桁送りで第１直交カバーを進み、第１直交カバーの使い果たしに伴い増加循環桁送りで第２直交カバーと第４直交カバーとの間で交替し、第２直交カバーおよび第４直交カバーの使い果たしに伴い増加循環桁送りで第３直交カバーを進むことができる。
2011519200.tif 000002
【特許請求の範囲】
【請求項１】
無線通信システムにおけるリソース配分の方法であって、
１組の肯定応答（ＡＣＫ）／否定応答（ＮＡＣＫ）リソースを特定することと、
前記１組のＡＣＫ／ＮＡＣＫリソースに対応するリソースグリッドを生成することであって、前記リソースグリッドが１つまたは複数の循環桁送りに対応する第１次元および４つの直交カバーに対応する第２次元を有することと、
１人または複数のユーザの各ユーザに、前記リソースグリッドの各位置に対応するリソースを配分することによって、前記１人または複数のユーザを前記特定された１組のＡＣＫ／ＮＡＣＫリソースに少なくとも部分的に多重化することと
を備える方法。
【請求項２】
前記１組のＡＣＫ／ＮＡＣＫリソースが物理アップリンク制御チャネル（ＰＵＣＣＨ）に対応する、請求項１に記載の方法。
【請求項３】
前記１組のＡＣＫ／ＮＡＣＫリソースが、複数のデータ記号および複数の参照信号記号を備えるリソースブロックに対応し、前記直交カバーが、前記データ記号で送信される各信号に適用される直交シーケンスに対応する、請求項１に記載の方法。
【請求項４】
前記直交カバーが直交符号を備える、請求項３に記載の方法。
【請求項５】
前記複数のデータ記号が４つのデータ記号を備える、請求項３に記載の方法。
【請求項６】
前記１つまたは複数の循環桁送りが１２の循環桁送りを備える、請求項１に記載の方法。
【請求項７】
単位円に対応する各角度に前記循環桁送りをマップすることと、
少なくとも部分的にユーザに配分されている前記リソースグリッドの位置に対応する循環桁送りを割り当てることを、前記割り当てられる循環桁送りにマップされる角度に対応する時間遅延で前記配分されるリソースで前記ユーザによるＡＣＫ／ＮＡＣＫ伝送をスケジュールすることによって行うことと
をさらに備える、請求項６に記載の方法。
【請求項８】
前記多重化することが、リソース配分機能に少なくとも部分的に基づき前記リソースグリッドを使用して各ユーザにリソースを配分することを備える、請求項１に記載の方法。
【請求項９】
前記多重化することが、リソースが配分される各ユーザにリソースインデックスを割り当てることと、
前記ユーザに対応する前記リソースインデックスに基づき昇順で前記リソース配分機能により前記各ユーザにリソースを配分することと
をさらに備える、請求項８に記載の方法。
【請求項１０】
前記リソース配分機能により前記各ユーザにリソースを前記配分することが、
第１直交カバーで各ユーザに増加循環桁送りを配分することと、
前記第１直交カバーの使い果たしに伴い第２直交カバーと第４直交カバーとの間で交互に各ユーザに増加循環桁送りを配分することと、
前記第２直交カバーと第４直交カバーとの使い果たしに伴い第３直交カバーで各ユーザに増加循環桁送りを配分することと
を備える、請求項９に記載の方法。
【請求項１１】
前記リソース配分機能により前記各ユーザにリソースを前記配分することが、シフト増分値により各隣接インデックス付きユーザに増加循環桁送りを配分することをさらに備える、請求項１０に記載の方法。
【請求項１２】
セル識別子との関係で決定される量だけ時間軸で前記リソースグリッドをシフトさせることをさらに備える、請求項１に記載の方法。
【請求項１３】
前記シフトさせることが、前記セル識別子の関数として生成される擬似乱数値として前記シフトさせる前記量を決定することを備える、請求項１２に記載の方法。
【請求項１４】
肯定応答（ＡＣＫ）チャネルリソース、ＡＣＫチャネルリソースが配分される１組のユーザ機器（ＵＥ）および１組の４つの直交カバーに関するデータを保存するメモリと、
１つまたは複数の循環桁送りに対応する第１次元および前記４つの直交カバーに対応する第２次元を有する前記ＡＣＫチャネルリソースのグリッドを生成し、前記リソースグリッドの各スロットに対応するＡＣＫチャネルリソースを各ＵＥに配分するよう構成されたプロセッサと
を備える無線通信装置。
【請求項１５】
前記ＡＣＫチャネルリソースが物理アップリンク制御チャネル（ＰＵＣＣＨ）に対応する、請求項１４に記載の無線通信装置。
【請求項１６】
前記ＡＣＫチャネルリソースがリソースブロックを備え、前記リソースブロックが複数のデータ記号および複数のパイロット記号を備える、請求項１４に記載の無線通信装置。
【請求項１７】
前記直交カバーが、前記リソースブロックの前記複数のデータ記号で送信される各信号に適用される直交符号を備える、請求項１４に記載の無線通信装置。
【請求項１８】
前記プロセッサが単位円における角度に関して前記１つまたは複数の循環桁送りを生成するようさらに構成された、請求項１４に記載の無線通信装置。
【請求項１９】
前記メモリが、ＡＣＫチャネルリソースが配分される前記１組のＵＥにそれぞれ関連するリソースインデックスおよびリソース配分機能に関するデータをさらに保存し、前記プロセッサが、各ＵＥにそれぞれ関連する前記リソースインデックスの昇順で前記リソース配分機能を用いて前記ＵＥにリソースを配分するようさらに構成された、請求項１４に記載の無線通信装置。
【請求項２０】
各ＵＥにそれぞれ関連する前記リソースインデックスの昇順で、第１直交カバーの循環桁送り、前記第１直交カバーの使い果たしに伴い第２直交カバーと第４直交カバーとの間で交替する循環桁送り、および前記第２直交カバーと第４直交カバーとの使い果たしに伴う第３直交カバーの循環桁送りに関連する前記ＵＥにリソースを配分することにより、前記リソース配分機能を少なくとも部分的に利用するように前記プロセッサがさらに構成された、請求項１９に記載の無線通信装置。
【請求項２１】
前記メモリが増分パラメータに関するデータをさらに保存し、前記プロセッサが前記増分パラメータによって各インデックス付きＵＥへの循環桁送り配分を増分するようさらに構成された、請求項２０に記載の無線通信装置。
【請求項２２】
無線通信システムにおけるリソース配分を容易にする装置であって、
１組の肯定応答（ＡＣＫ）／否定応答（ＮＡＣＫ）リソースを特定するための手段と、
前記特定されたＡＣＫ／ＮＡＣＫリソースの配分のためのリソースグリッド構造を生成するための手段であって、少なくとも１つの循環桁送りおよび４つの直交カバーに関して前記リソースグリッド構造が定義される手段と
を備える装置。
【請求項２３】
前記１組のＡＣＫ／ＮＡＣＫリソースが物理アップリンク制御チャネル（ＰＵＣＣＨ）に対応する、請求項２２に記載の装置。
【請求項２４】
前記１組のＡＣＫ／ＮＡＣＫリソースが、複数のデータ記号および複数の復調参照信号（ＤＭ−ＲＳ）記号を備えるリソースブロックに対応し、前記直交カバーが、前記複数のデータ記号での伝送に使用される直交シーケンスに対応する、請求項２２に記載の装置。
【請求項２５】
単位円における各角度に関して前記少なくとも１つの循環桁送りを生成するための手段をさらに備える、請求項２２に記載の装置。
【請求項２６】
ＡＣＫ／ＮＡＣＫリソースが配分される各ユーザにインデックスを付けるための手段と、各インデックスにより前記インデックス付きユーザにＡＣＫ／ＮＡＣＫリソースを配分するための手段とをさらに備える、請求項２２に記載の装置。
【請求項２７】
ＡＣＫ／ＮＡＣＫリソースを配分するための前記手段が、各インデックス付きユーザに前記リソースグリッド構造のリソーススロットを配分するための手段を備え、各ユーザに配分されるリソースが、第１直交カバーの循環桁送り、前記第１直交カバーの使い果たしに伴い第２直交カバーと第４直交カバーとの間で交替する循環桁送り、前記第２直交カバーと第４直交カバーとの使い果たしに伴う第３直交カバーの循環桁送りに対応する、請求項２６に記載の装置。
【請求項２８】
ＡＣＫ／ＮＡＣＫリソースを配分するための前記手段が、事前設定された増分パラメータにより各インデックス付きユーザへの循環桁送り配分を増分するための手段をさらに備える、請求項２６に記載の装置。
【請求項２９】
少なくとも１つの循環桁送りに関して物理アップリンク制御チャネル（ＰＵＣＣＨ）のリソースグリッドの第１次元を定義し、４つの直交カバーに関して前記リソースグリッドの第２次元を定義することによって、前記リソースグリッドを少なくとも部分的に生成することをコンピュータに行わせるコードと、
ＰＵＣＣＨリソースが割り当てられる各端末に前記リソースグリッドのスロットを配分することをコンピュータに行わせるコードと
を備えるコンピュータ可読媒体
を備えるコンピュータプログラム製品。
【請求項３０】
前記コンピュータ可読媒体が、ＰＵＣＣＨリソースが割り当てられる前記各端末にインデックスを付けることをコンピュータに行わせるコードをさらに備え、配分することをコンピュータに行わせる前記コードが、各端末に関連する各インデックスとの関係で前記端末に前記リソースグリッドのスロットを配分することをコンピュータに行わせるコードを備える、請求項２９に記載のコンピュータプログラム製品。
【請求項３１】
配分することをコンピュータに行わせる前記コードが、第１直交カバーに関連するリソースグリッドのスロット、前記第１直交カバーに対応する前記リソースグリッドの前記スロットの使い果たしに伴い第２直交カバーと第４直交カバーとの間で交替するリソースグリッドのスロット、および前記第２直交カバーと第４直交カバーとに対応する前記リソースグリッドの前記スロットの使い果たしに伴う第３直交カバーに関連するリソースグリッドのスロットを、各端末にそれぞれ関連する前記インデックスとの関係で前記端末に配分することをコンピュータに行わせるコードをさらに備える、請求項３０に記載のコンピュータプログラム製品。
【請求項３２】
無線通信システムで使用される方法であって、
物理アップリンク制御チャネル（ＰＵＣＣＨ）リソースに対応するリソースグリッドを生成することであって、前記リソースグリッドの第１次元が時間の１２の循環桁送りによって定義され、前記リソースグリッドの第２次元がコードの４つの直交カバーによって定義されることと、
シフト増分パラメータを特定することと、
ＰＵＣＣＨリソースが配分される各ユーザ機器（ＵＥ）に増加リソースインデックスを割り当てることと、
前記シフト増分パラメータとの関係で増加循環桁送りで前記リソースグリッドの第１直交カバーを進み、前記第１直交カバーの使い果たしに伴い前記シフト増分パラメータとの関係で前記リソースグリッドの増加循環桁送りで第２直交カバーと第４直交カバーとの間で交替し、前記第２直交カバーと第４直交カバーとの使い果たしに伴い前記シフト増分パラメータとの関係で増加循環桁送りで前記リソースグリッドの第３直交カバーを進む少なくとも１つのリソース配分機能に従い、各ＵＥに前記リソースグリッドの各スロットを配分することにより、前記インデックス付きＵＥにＰＵＣＣＨリソースを少なくとも部分的に配分することと
を備える方法。
【発明の詳細な説明】
【技術分野】
【０００１】
相互参照
本出願は、２００８年３月２６日に出願された、「ＭＥＴＨＯＤ  ＡＮＤ  ＡＰＰＡＲＡＴＵＳ  ＦＯＲ  ＲＥＳＯＵＲＣＥ  ＡＬＬＯＣＡＴＩＯＮ  ＩＮ  ＷＩＲＥＬＥＳＳ  ＣＯＭＭＵＮＩＣＡＴＩＯＮ  ＳＹＳＴＥＭＳ」という名称の、その全体が参照により本明細書に組み込まれる米国仮特許出願第６１／０３９，７３４号の利益を主張する。
【０００２】
本開示は一般に無線通信に関し、より具体的には無線通信システムにおけるリソースの配分の技法に関する。
【背景技術】
【０００３】
無線通信システムは様々な通信サービスを提供するために広く配備されており、こうした無線通信システムを介して、例えば音声、映像、パケットデータ、ブロードキャストおよびメッセージサービスを提供することができる。こうしたシステムは、利用可能なシステムリソースを共有することによって複数の端末の通信をサポートすることができる多元接続システムであり得る。かかる多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
一般に、無線多元接続通信システムは、複数の無線端末の通信を同時にサポートすることができる。こうしたシステムでは、各端末は、順方向リンクおよび逆方向リンクでの伝送によって、１つまたは複数の基地局と通信することができる。順方向リンク（またはダウンリンク）は、基地局から端末への通信リンクを指し、逆方向リンク（またはアップリンク）は、端末から基地局への通信リンクを指す。この通信リンクは、単一入力単一出力（ＳＩＳＯ）、複数入力単一出力（ＭＩＳＯ）または複数入力複数出力（ＭＩＭＯ）のシステムにより設定することができる。
【０００５】
物理アップリンク制御チャネル（ＰＵＣＣＨ）のような無線通信システムで使用される信号チャネルによっては、複数のユーザをチャネルリソースに多重化できる方法でチャネルリソースが配分され得る。例えば、可変の循環桁送り、直交符号および／もしくは他の直交カバーならびに／または各ユーザに配分されるリソースの他の特性によって、チャネルに対応する周波数および時間の１組のリソースに複数のユーザを多重化することができる。しかし、リソース配分の既存の技法では、チャネル分散および／または他の同様の原因により直交性が低下しやすく、ユーザ間の干渉、１組のチャネルリソースに多重化され得るユーザ数の減少および／またはシステムの性能に対する他の悪影響が生じる可能性がある。したがって、前述の弱点の少なくとも１つを軽減する無線通信システムのリソース配分技法を実施することが望ましい。
【発明の概要】
【０００６】
以下では、特許請求内容の様々な態様の基本的な理解をもたらすために、かかる態様の簡略な要約を示す。この要約は、すべての企図される態様の包括的な概要ではなく、すべての態様の主要なまたは重要な要素を特定することも、かかる態様の範囲を定めることも意図していない。唯一の目的は、以下に提示するより詳細な説明の前置きとして、開示される態様のいくつかの概念を簡略な形で提示することである。
【０００７】
１つの態様により、無線通信システムにおけるリソース配分の方法を本明細書で説明する。この方法は、１組の肯定応答（ＡＣＫ）／否定応答（ＮＡＣＫ）リソースを特定することと、１組のＡＣＫ／ＮＡＣＫリソースに対応するリソースグリッドを生成することであって、リソースグリッドが１つまたは複数の循環桁送りに対応する第１次元および４つの直交カバーに対応する第２次元を有することと、１人または複数のユーザの各ユーザに、リソースグリッドの各位置に対応するリソースを配分することによって、１人または複数のユーザを特定された１組のＡＣＫ／ＮＡＣＫリソースに少なくとも部分的に多重化することとを備えることができる。
【０００８】
本明細書で説明する別の態様は、無線通信装置に関する。無線通信装置は、ＡＣＫチャネルリソース、ＡＣＫチャネルリソースが配分される１組のユーザ機器（ＵＥ）および１組の４つの直交カバーに関するデータを保存するメモリ、ならびに１つまたは複数の循環桁送りに対応する第１次元および４つの直交カバーに対応する第２次元を有するＡＣＫチャネルリソースのグリッドを生成し、リソースグリッドの各スロットに対応するＡＣＫチャネルリソースを各ＵＥに配分するよう構成されたプロセッサを備えることができる。
【０００９】
第３の態様は、無線通信システムにおけるリソース配分を容易にする装置に関する。この装置は、１組のＡＣＫ／ＮＡＣＫリソースを特定するための手段、および特定されたＡＣＫ／ＮＡＣＫリソースの配分のためのリソースグリッド構造を生成するための手段を備えることができ、少なくとも１つの循環桁送りおよび４つの直交カバーに関してリソースグリッド構造が定義される。
【００１０】
第４の態様はコンピュータプログラム製品に関し、コンピュータプログラム製品は、少なくとも１つの循環桁送りに関して物理アップリンク制御チャネル（ＰＵＣＣＨ）のリソースグリッドの第１次元を定義し、４つの直交カバーに関してリソースグリッドの第２次元を定義することによって、リソースグリッドを少なくとも部分的に生成することをコンピュータに行わせるコード、およびＰＵＣＣＨリソースが割り当てられる各端末にリソースグリッドのスロットを配分することをコンピュータに行わせるコードを備えるコンピュータ可読媒体を備えることができる。
【００１１】
本明細書で説明する第５の態様は、無線通信システムで使用される方法に関する。この方法は、ＰＵＣＣＨリソースに対応するリソースグリッドを生成することであって、リソースグリッドの第１次元が時間の１２の循環桁送りによって定義され、リソースグリッドの第２次元がコードの４つの直交カバーによって定義されることと、シフト増分パラメータを特定することと、ＰＵＣＣＨリソースを配分する各ＵＥに増加リソースインデックスを割り当てることと、シフト増分パラメータとの関係で増加循環桁送りでリソースグリッドの第１直交カバーを進み、第１直交カバーの使い果たしに伴いシフト増分パラメータとの関係でリソースグリッドの増加循環桁送りで第２直交カバーと第４直交カバーとの間で交替し、第２直交カバーおよび第４直交カバーの使い果たしに伴いシフト増分パラメータとの関係で増加循環桁送りでリソースグリッドの第３直交カバーを進む少なくとも１つのリソース配分機能に従い、各インデックス付きＵＥにリソースグリッドの各スロットを配分することにより、各ＵＥにＰＵＣＣＨリソースを少なくとも部分的に配分することとを備えることができる。
【００１２】
前述の目的および関連する目的を達成するため、特許請求内容の１つまたは複数の態様は、以下で詳細に説明し、特許請求の範囲で具体的に示す特徴を備える。以下の説明および添付の図面では、特許請求内容の特定の例示的な態様を詳細に示す。ただし、これらの態様は、特許請求内容の原理を利用できる様々な方法のほんの数例を示しているに過ぎない。また、開示される態様は、一切のかかる態様およびその均等物を含むことを意図している。
【図面の簡単な説明】
【００１３】
【図１】様々な態様による無線通信システムにおけるリソースを配分および管理するシステムのブロック図。
【図２】無線通信システム内で利用できる例示的なリソース構造を示す図。
【図３】無線通信システム内で利用できる例示的なチャネル構造を示す図。
【図４】様々な態様による各システムユーザに対するリソースの配分を容易にすることができる例示的なリソースグリッドを示す図。
【図５】様々な態様による実行可能な例示的なリソース配分を示す図。
【図６】様々な態様による実行可能な例示的なリソース配分を示す図。
【図７】様々な態様による実行可能な例示的なリソース配分を示す図。
【図８】１組の通信リソースに１人または複数のユーザを多重化する方法の流れ図。
【図９】制御チャネルに対応するそれぞれの循環桁送りおよび直交カバーに１組のインデックス付きユーザをマップするリソース配分機能を実施する方法の流れ図。
【図１０】後続の配分のための制御リソースの分割を容易にする装置のブロック図。
【図１１】本明細書で説明する機能の様々な態様を実施するために利用できる各無線通信デバイスのブロック図。
【図１２】本明細書で説明する機能の様々な態様を実施するために利用できる各無線通信デバイスのブロック図。
【図１３】本明細書に記載する様々な態様による無線多元接続通信システムを示す図。
【図１４】本明細書で説明する様々な態様が機能することができる例示的な無線通信システムを示すブロック図。
【発明を実施するための形態】
【００１４】
ここで、図面を参照して特許請求内容の様々な態様を説明する。図中、同じ参照番号は全体を通じて同じ要素を指すために使用される。以下の記述では、説明の目的で、１つまたは複数の態様の完全な理解をもたらすために多くの具体的な詳細を示す。ただし、こうした具体的な詳細なしでもかかる（１つまたは複数の）態様を実施できることが明らかであろう。他の例では、１つまたは複数の態様の説明を容易にするために、周知の構造およびデバイスをブロック図の形で示している。
【００１５】
本出願で使用する、「コンポーネント」、「モジュール」、「システム」などの用語は、コンピュータ関連のエンティティ、すなわちハードウェア、ファームウェア、ハードウェアとソフトウェアとの組み合わせ、ソフトウェアまたは実行中のソフトウェアのいずれかを指すことを意図している。例えば、コンポーネントは、プロセッサで実行中のプロセス、集積回路、オブジェクト、実行可能な、実行のスレッド、プログラムおよび／またはコンピュータであってよいが、これらに限定されない。例を挙げると、コンピューティングデバイスで実行中のアプリケーションとコンピューティングデバイスの両方がコンポーネントとなることができる。１つまたは複数のコンポーネントが１つのプロセスおよび／または実行のスレッドの中に存在してよく、１つのコンポーネントを１台のコンピュータに配置すること、および／または２台以上のコンピュータ間に分散することができる。また、これらのコンポーネントは、様々なデータ構造を保存している様々なコンピュータ可読媒体から実行することができる。このコンポーネントは、１つまたは複数のデータパケットを有する信号に従うなどしてローカル処理および／またはリモート処理を介して通信することができる（例：信号手段によりローカルシステム、分散システムにおいて別のコンポーネントと、かつ／または他のシステムとインターネットなどのネットワークにわたって交信する１つのコンポーネントからのデータ）。
【００１６】
さらに、本明細書では無線端末および／または基地局に関連して様々な態様を説明する。無線端末は、ユーザに音声および／またはデータの接続を提供するデバイスを指すことがある。無線端末は、ラップトップ型コンピュータまたはデスクトップ型コンピュータなどのコンピューティングデバイスに接続してよく、あるいは携帯情報端末（ＰＤＡ）のような内蔵型デバイスであってよい。無線端末は、システム、加入者ユニット、加入者局、移動局、モバイル、リモート局、アクセスポイント、リモート端末、アクセス端末、ユーザ端末、ユーザエージェント、ユーザデバイスまたはユーザ機器（ＵＥ）と呼ばれることもある。無線端末は、加入者局、無線デバイス、セルラ電話、ＰＣＳ電話、コードレス電話、セッション確立プロトコル（ＳＩＰ）電話、無線ローカルループ（ＷＬＬ）局、携帯情報端末（ＰＤＡ）、無線接続能力を備える手持ち式デバイス、または無線モデムに接続した他の処理デバイスであってよい。基地局（例：アクセスポイントまたはノードＢ）は、無線端末との間で１つまたは複数のセクターを通じて無線インタフェースにより通信するアクセスネットワーク内のデバイスを指すことがある。基地局は、受信した無線インタフェースのフレームをインターネットプロトコル（ＩＰ）パケットに変換することによって、無線端末とアクセスネットワークの残りの部分（ＩＰネットワークを含むことができる）との間のルータとして機能することができる。基地局はまた、無線インタフェースの属性の管理を調整する。
【００１７】
また、本明細書で説明する様々な機能は、ハードウェア、ソフトウェア、ファームウェア、またはこれらの組み合わせで実施することができる。ソフトウェアで実施する場合、当該機能をコンピュータ可読媒体に格納すること、あるいはコンピュータ可読媒体に対する１つまたは複数の命令またはコードとして送信することができる。コンピュータ可読媒体は、コンピュータ記憶媒体および通信媒体の両方を含み、１つの場所から別の場所へのコンピュータプログラムの転送を容易にするあらゆる媒体を含む。記憶媒体は、コンピュータによってアクセスできる任意の利用可能な媒体であってよい。限定することなく例を挙げると、かかるコンピュータ可読媒体は、ＲＡＭ、ＲＯＭ、ＥＥＰＲＯＭ、ＣＤ−ＲＯＭ、または他の光ディスク記憶装置、磁気ディスク記憶装置もしくは他の磁気記憶デバイス、または命令もしくはデータ構造の形式で所望のプログラムコードを伝送もしくは格納するために使用でき、コンピュータによってアクセスできるその他の媒体を備えることができる。また、あらゆる接続がコンピュータ可読媒体と適切に呼ばれる。例えば、ソフトウェアがウェブサイト、サーバ、または他のリモートソースから同軸ケーブル、光ファイバケーブル、より対線、デジタル加入者回線（ＤＳＬ）、または赤外線、ラジオおよびマイクロ波などの無線技術を使用して送信される場合、同軸ケーブル、光ファイバケーブル、より対線、ＤＳＬ、または赤外線、ラジオおよびマイクロ波などの無線技術は、媒体の定義に含まれる。本明細書で使用するディスク（ｄｉｓｋおよびｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）およびブルーレイディスク（ｄｉｓｃ）（ＢＤ）を含み、ｄｉｓｋは通常、磁気的にデータを再生し、ｄｉｓｃはレーザで光学的にデータを再生する。上記の組み合わせもコンピュータ可読媒体の範囲内に含まれる。
【００１８】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリアＦＤＭＡ（ＳＣ−ＦＤＭＡ）システム、およびその他のこうしたシステムなどの様々な無線通信システムに使用することができる。「システム」および「ネットワーク」という用語は、本明細書においてしばしば互換的に使用される。ＣＤＭＡシステムは、ユニバーサル地上無線アクセス（ＵＴＲＡ）、ＣＤＭＡ２０００などの無線技術を実施することができる。ＵＴＲＡは、広帯域ＣＤＭＡ（Ｗ−ＣＤＭＡ）およびＣＤＭＡの他の変形形態を含む。さらに、ＣＤＭＡ２０００は、ＩＳ−２０００、ＩＳ−９５およびＩＳ−８５６規格をカバーする。ＴＤＭＡシステムは、グローバル移動体通信システム（ＧＳＭ（登録商標））などの無線技術を実施することができる。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実施することができる。ＵＴＲＡおよびＥ−ＵＴＲＡは、ユニバーサル移動体通信システム（ＵＭＴＳ）の一部である。３ＧＰＰのロングタームエボリューション（ＬＴＥ）は、ダウンリンクでＯＦＤＭＡ、アップリンクでＳＣ−ＦＤＭＡを利用する、Ｅ−ＵＴＲＡを使用するＵＭＴＳの今後のリリース版である。ＵＴＲＡ、Ｅ−ＵＴＲＡ、ＵＴＭＳ、ＬＴＥおよびＧＳＭは、「第３世代パートナーシッププロジェクト」（３ＧＰＰ）という名の組織による文書に記載されている。さらに、ＣＤＭＡ２０００およびＵＭＢは、「第３世代パートナーシッププロジェクト２」（３ＧＰＰ２）という名の組織による文書に記載されている。
【００１９】
複数のデバイス、コンポーネント、モジュールなどを含むことができるシステムに関して、様々な態様を示す。図との関係で論じる際、各種システムがさらなるデバイス、コンポーネント、モジュールなどを含むことができ、かつ／またはデバイス、コンポーネント、モジュールなどのすべてを含むことはできないことが理解、認識されよう。これらのアプローチの組み合わせを使用することもできる。
【００２０】
次いで図面を参照すると、図１は、本明細書で説明する様々な態様による無線通信システムにおいてリソースを配分し管理するシステム１００を示している。図１が示すように、システム１００は、１つまたは複数のユーザ機器（ＵＥ）１２０と通信することができる１つまたは複数の基地局１１０を含むことができる。システム１００では基地局１１０が１つだけ示されているが、システム１００は任意の数の基地局を含むことができることを理解すべきである。また、システム１００内の各ＵＥ１２０は、システム１００に存在する基地局１１０のすべてまたは一部と通信してよく、かかる基地局１１０と全く通信しなくてもよいことを理解すべきである。例えば、システム１００にある（１つまたは複数の）基地局１１０は、システム１００内の対象範囲のそれぞれの（１つまたは複数の）セルおよび／または（１つまたは複数の）エリアに対応することができ、それによりＵＥ１２０は、当該ＵＥ１２０が位置するエリアにサービスを提供するよう設計された１つまたは複数の基地局１１０と通信することができる。
【００２１】
１つの態様によると、基地局１１０は、基地局１１０に戻るアップリンク（ＵＬ、本明細書では逆方向リンク（ＲＬ）ともいう）通信のために１つまたは複数のＵＥ１２０によって利用されるリソースを配分することができる。１つの例では、ＵＥ１２０のために基地局１１０によって配分されるリソースは、ダウンリンク（ＤＬ、本明細書では順方向リンク（ＦＬ）ともいう）で基地局１１０からＵＥ１２０に送信されるデータおよび／もしくは他の情報に対応するＡＣＫ／ＮＡＣＫ信号のためのリソースならびに／またはその他の適切な種類のリソースを含むことができる。別の例では、これらのリソースを、基地局１１０においてリソース配分モジュール１１２および／または別の適切なモジュールを使用して配分することができる。リソース配分モジュール１１２は、基地局１１０に位置するものとして示されているが、リソース配分モジュール１１２は代わりに、１つまたは複数のＵＥ１２０、システム１００内の独立型エンティティ、および／またはシステム１００のその他のエンティティと結び付き得ることが理解できよう。
【００２２】
別の態様によると、リソース配分モジュール１１２によって各ＵＥ１２０に配分されるリソースに基づき、リソーススケジューラ１１４は、配分されるリソースの割り当てを決定および／または生成することができる。その後こうした割り当てを（１つまたは複数の）ＵＥ１２０に対し、それぞれの（１つまたは複数の）ＵＥ１２０に対応するリソーススケジュール１３２として送信することができる。システム１００が示す例では、リソーススケジュール１３２をそれぞれのＵＥ１２０に適合させて送信することができる。ただし、リソーススケジュール１３２を代わりに、複数のＵＥ１２０に対するマルチキャストメッセージまたはブロードキャストメッセージとして作成できることを理解すべきである。
【００２３】
ＵＥ１２０は、リソーススケジュール１３２を受信すると、リソーススケジュール１３２でＵＥ１２０に提供されたリソースを利用するための伝送を設定することができる。その後ＵＥ１２０は、ＡＣＫ／ＮＡＣＫ情報１３４および／または他の適切な種類のデータ、制御信号などを、対応するリソーススケジュール１３２で提供されたリソースを使用してアップリンクで基地局１１０に送信することができる。
【００２４】
システム１００でさらに示されるように、基地局１１０は、プロセッサ１１６および／またはメモリ１１８を含むことができ、これらは、リソース配分モジュール１１２、リソーススケジューラ１１４の機能の一部もしくは全部および／または基地局１１０のその他の機能を実施することができる。同様に、ＵＥ１２０は、プロセッサ１２２および／またはメモリ１２４を含むことができ、これらを利用して本明細書で説明する機能の一部または全部を実施することができる。簡略化のためシステム１００ではたった１つのＵＥ１２０がプロセッサ１２２およびメモリ１２４を含むものとして示されているが、システム１００のいずれのＵＥ１２０もプロセッサ１２２および／またはメモリ１２４を含み得ることを理解すべきである。
【００２５】
図２に目を向けると、本明細書で説明する様々な態様による、無線通信システム内で利用できる例示的なリソース構造を示すブロック図２００が提示されている。１つの態様によると、システムリソースを時間および周波数の両方で定義することができる。したがって、ブロック図２００が示すように、時間間隔および周波数間隔によってそれぞれ定義される次元を有するグリッドとしてシステムリソースを構造化することができる。例えば、ブロック図２００が示すように、システムリソースをリソースブロック（ＲＢ）２０２に分割することができ、それぞれを１ミリ秒、０．５ミリ秒および／またはその他の適切な時間間隔における１８０キロヘルツおよび／またはその他の適切な周波数に対応させることができる。ただし、ブロック図２００が示すリソース構造は、システムリソースを利用できる方法の一例に過ぎず、任意の適切な方法で（例えば、任意の数の均一または不均一のＲＢ２０２および／または他の単位で）システムリソースを分割できることを理解すべきである。また、ブロック図２００は１２個のＲＢ２０２を示しているが、システム帯域幅は任意の適切な周波数帯域を占めることができること、およびシステム帯域幅の一部または全部を任意の適切な（１つまたは複数の）時間間隔で利用できることを理解すべきである。
【００２６】
別の態様によると、無線通信システムに関連する周波数帯域の様々な部分を、当該周波数帯域内の位置との関係で各チャネルに配分することができる。例えば、データの伝送に使用される周波数チャネルを、システム周波数帯域の中心近くに置くことができ、物理アップリンク制御チャネル（ＰＵＣＣＨ）のような制御情報に使用されるデータを周波数帯域の１つまたは複数の端近くに置くことができる。１つの例では、ＰＵＣＣＨを利用してＡＣＫ／ＮＡＣＫ情報を端末（例：ＵＥ１２０）から当該端末にサービスを提供する１つまたは複数の基地局（例：基地局１１０）に送ることができる。
【００２７】
ＰＵＣＣＨに利用できる例示的構造が図３のブロック図３０２および３０４に示されている。非限定的な具体例を挙げると、ブロック図３０２および３０４が示すＰＵＣＣＨ構造を利用してＰＵＣＣＨフォーマット１Ａおよび／もしくはその変形形態、ＰＵＣＣＨフォーマット１Ｂおよび／もしくはその変形形態ならびに／またはその他の適切なチャネルフォーマットを実施することができる。ＰＵＣＣＨフォーマット１Ａおよび／またはその変形形態により、チャネルを利用する端末および／または別のデバイスは、２位相偏移変調（ＢＰＳＫ）および／または別の適切な変調方式を利用してサブフレームあたり１制御ビットを送信することができる。また、ＰＵＣＣＨフォーマット１Ｂおよび／またはその変形形態により、チャネルを利用する端末および／または別のデバイスは、４位相偏移変調（ＱＰＳＫ）および／または別の適切な変調方式を利用してサブフレームあたり２制御ビットを送信することができる。ブロック図３０２および３０４は例であって限定的なものではなく、本明細書で説明するリソース配分技法の実施において任意の適切な種類および／または配列の情報を利用できることを理解すべきである。
【００２８】
１つの例では、ブロック図３０２および３０４が示すＰＵＣＣＨ構造は、１つまたは複数の変調済みＺａｄｏｆｆ−Ｃｈｕ（ＺＣ）シーケンスを利用することができ、当該シーケンスで直交符号および／または他の追加的な時間領域の直交カバーを適用して、サブフレームあたり８つの変調記号の各伝送を行うことができる。したがって、ＰＵＣＣＨフォーマット０および１の具体例において、ＰＵＣＣＨフォーマット０はＢＰＳＫ変調を利用してＡＣＫ／ＮＡＣＫおよび／または他の適切な情報のコードレート（８，１）を提供することができ、ＰＵＣＣＨフォーマット１はＱＰＳＫ変調を利用してＡＣＫ／ＮＡＣＫおよび／または他の適切な情報のコードレート（１６，２）を提供することができる。１つの例では、単一ストリームに対応するＡＣＫ情報ではＰＵＣＣＨフォーマット０を利用することができ、（例えば、２つの複数入力複数出力（ＭＩＭＯ）コード語を利用したＭＩＭＯ伝送に関連する）２つのストリームに対応するＡＣＫ情報ではＰＵＣＣＨフォーマット１を利用することができる。
【００２９】
ブロック図３０２は、通常のサイクリックプレフィックス（ＣＰ）の場合における例示的なＰＵＣＣＨ実装を示している。ブロック図３０２が示すように、１つのサブフレームにおけるＰＵＣＣＨリソースを１４の直交周波数分割多重方式（ＯＦＤＭ）記号に時間軸で分割することができ、１４のＯＦＤＭ記号を、それぞれ７つのＯＦＤＭ記号を含む２つのスロットに分割すること、および／またはＡＣＫ／ＮＡＣＫ伝送とパイロットまたは復調参照信号（ＤＭ−ＲＳ）との間で配分することができる。ブロック図３０２がさらに示すように、ＡＣＫ／ＮＡＣＫ伝送を各スロットの最初および最後の２つのＯＦＤＭ記号を利用するよう配列し、残りの記号をＤＭ−ＲＳのために利用することができる。ブロック図３０２がさらに示すように、ＰＵＣＣＨリソースは１ＲＢに等しい周波数リソース（例：１８０キロヘルツ）を利用することができる。
【００３０】
同様に、ブロック図３０４は、拡張ＣＰの場合における例示的なＰＵＣＣＨ実装を示しており、制御チャネルリソースがサブフレームあたり１２のＯＦＤＭ記号および／またはスロットあたり６つのＯＦＤＭ記号に時間軸で分割される。１つの例では、ブロック図３０２が示す通常のＣＰの場合とブロック図３０４が示す拡張ＣＰの場合との間におけるＣＰ長の差は、各場合において配分される変調記号の差の原因となっている。通常のＣＰの場合においてブロック図３０２が示したのと同様に、ブロック図３０４が示すように、拡張ＣＰの場合において、ＡＣＫ／ＮＡＣＫ伝送を各スロットの最初および最後の２つのＯＦＤＭ記号を利用するよう配列し、残りの変調をＤＭ−ＲＳのために利用することができる。また、拡張ＣＰの場合におけるＰＵＣＣＨリソースは、ブロック図３０２が示す通常のＣＰの場合と同様に、１ＲＢに対応する周波数リソースを利用することができる。
【００３１】
１つの態様によると、ＰＵＣＣＨおよび／または他の対応するチャネルが提供するリソースの一部を利用するよう、所与のユーザ用のＡＣＫ／ＮＡＣＫ伝送を構成することができる。その結果、ＡＣＫ／ＮＡＣＫ伝送用にＰＵＣＣＨおよび／または他の適切なリソースに複数のユーザを多重化してリソースの利用効率を高めることができる。１つの例では、図４のブロック図４００が示すように、パイロット（例：ＤＭ−ＲＳ）リソースおよびデータリソースの両方で多重化を実行することができる。ブロック図４００が示すように、リソースグリッド４０２および４０４をそれぞれパイロットリソースおよびデータリソースのために生成することができる。１つの例では、ユーザ伝送に適用できる可変の循環桁送りによる第１次元（例：垂直サイズの行）で、また（例えば図３が示すような）チャネルに対応するＯＦＤＭ記号に適用される１組の直交符号および／または他の直交カバーによる第２次元（例：水平サイズの列）で、リソースグリッド４０２および４０４を定義することができる。
【００３２】
１つの例では、グリッド４０２および４０４で利用される循環桁送りを所与のユーザから発せられる信号に適用して、所定の時間間隔で時間的に当該信号をシフトさせることができる。別の例では、各ユーザから発せられる信号を均一の時間を利用するよう構成することができ、循環桁送りを各信号に適用して、信号時間の中で均一の間隔で所与のユーザからの信号を遅らせることができる。非限定的な具体例を挙げると、パイロット信号および／またはデータ信号を、時間が６６．６７マイクロ秒となるよう構成することができ、これに基づき６６．６７マイクロ秒の信号内で５．５６マイクロ秒の間隔にそれぞれ対応する１２の循環桁送りを適用することができる。１つの例では、（例えば第１ユーザによって）所与の循環桁送りを使用して送信される信号の第１インスタンスが、（例えば第２ユーザによって）異なる循環桁送りを使用して送信される信号の第２インスタンスとの間でほぼ完全な自動相関を有するよう、各ユーザが利用する信号を選択することができる。よって、信号が自らの循環桁送り形態との直交性を示すように信号を選択することができ、それにより当該信号を適用して複数のユーザを共通の１組のＯＦＤＭ記号および共通の直交カバーにマップすることができる。
【００３３】
別の例では、直交カバーは、複数のユーザを共通の時間間隔でコードで多重化するために（例えば図３が示すような）サブフレームのパイロットおよび／またはデータＯＦＤＭ信号でユーザが送信する信号に適用される直交シーケンスであってよい。例えば、パイロットリソースグリッド４０２に対応する直交カバーを、以下のとおり定義できる拡散ベクトルに基づき適用することができる。
【数１】
2011519200.tif 000003
【００３４】
ここでは
【数２】
2011519200.tif 000004
【００３５】
である。同様に、データリソースグリッド４０４に対応する１組の３つの直交カバーは、下の表１のように定義することができる。
【表１】
2011519200.tif 000005
【００３６】
１つの態様によると、ユーザに対し、リソースグリッド４０２および／または４０４のスロットに対応するリソースを割り当てることができ、これは所与の循環桁送りで送信される所定の直交カバーに対応する。既存の無線通信システムの実装では、３×１２のパイロットリソースグリッド４０２および３×１２のデータリソースグリッド４０４が使用されており、これらは１２の循環桁送りおよび３つの直交カバーに対応しており、パイロット伝送およびデータ伝送の両方で最大３６のリソーススロットの使用を容易にしている。
【００３７】
したがって、マルチパスフェージング、遅延拡散または他の要素がない完全なチャネルを想定した場合、リソースグリッド４０２および４０４における３６のスロットの各々に対応する信号の直交性を維持し、それによりほぼ干渉なくグリッド４０２および４０４で３６人のユーザのスケジューリングを行うことができる。しかし、グリッド４０２および４０４に対応するチャネルでマルチパスフェージング、遅延拡散または他のそうした要素が存在する場合には、隣接リソーススロットに対応する信号が、ある状況では互いに干渉し得ることが理解できよう。例えば、グリッド４０２および４０４の循環桁送り方向では、送信される信号に適用される時間領域変化を利用してデータおよび／またはパイロットスロットを作成することができる。しかし、送信される信号がフェージングを経験する場合には、干渉が生じ得ることが理解できよう。例えば、第１ユーザが所与の循環桁送りで信号を送信し、第２ユーザが第１ユーザの循環桁送りに近い循環桁送りで信号を送信する場合、２人のユーザが送信する信号は、それらのフェージングが異なる場合に互いに干渉する可能性がある。別の例では、グリッド４０２および４０４の各循環桁送りは均一の時間遅延（例：５．５６マイクロ秒）に対応し得る。しかし、関連するチャネルの遅延拡散が循環桁送り間隔と一致する場合（例：５．５６マイクロ秒の遅延拡散）、複数のユーザから信号を受信するエンティティは、所与の循環桁送りでの第１ユーザによる信号とより早い段階の循環桁送りでの第２ユーザによる信号の遅延形態とを区別することができない場合がある。同様に、異なる直交カバーを使用して共通の循環桁送りで各ユーザが送信する信号は、様々な環境で互いに干渉することがある。
【００３８】
上述の干渉の結果、過剰な干渉を避けるために、リソースグリッド４０２および４０４のスロット間で信号の拡散が必要な場合があり、これによりグリッド４０２および４０４でスケジュールされ得るユーザの数がさらに制限される場合があることが理解できよう。通常これは、リソース配分機能ならびに／またはグリッド４０２および／もしくは４０４内で所定の間隔でユーザ伝送をスケジュールする他の手段を利用して達成することができる。しかし、グリッド４０２および／または４０４で配分されるリソースを拡散することによって、スケジュールできるユーザの数が大幅に制限され得ることが理解できよう。
【００３９】
よって、１つの態様によると、データリソースグリッド４０４を１組の４つの直交カバーを利用するよう構成することができ、それにより、関連する無線通信システムで追加のデータ伝送が可能になる。こうした追加の伝送は、例えば追加のユーザおよび／またはスケジュール済みのユーザによって送信される追加のデータ（例えば、追加のＡＣＫ／ＮＡＣＫビットなど）に対応し得る。１つの例では、データリソースグリッド４０４で利用される１組の４つの直交カバーを作成して、（例えば、ブロック図３０２および３０４が示すような）ＰＵＣＣＨおよび／または他の同様のチャネルで利用されるサブフレーム構造に対応する１組の４つのデータＯＦＤＭ記号を対象とすることができる。そうすることにより、本明細書で説明する４つの直交カバーのデータリソーステーブル４０４を、伝送用に提供されるデータリソースがより効率的に使用されるよう構成できることが理解できよう。１つの例では、１組の４つの直交カバーに対応する直交シーケンスを、下の表２のように定義することができる。
【表２】
2011519200.tif 000006
【００４０】
１つの例では、データリソースグリッド４０４のスロットに対応するリソースに各ユーザをマップするよう、１組のリソース配分機能を定義することができる。１つの態様によると、リソース配分機能を利用して、所定の順番でデータリソースグリッド４０４のリソーススロットを割り当てることができる。４つの直交カバーを有するリソースグリッド４０４の非限定的な具体例を挙げると、データリソースグリッド４０４のリソースを割り当てるユーザに対し、固有のインデックスを割り当てることができる。その後、各インデックスに基づく順番により、ユーザに対し、第１直交カバー（例：直交カバー０）に関連する列の増加循環桁送りに対応するリソースを割り当てることができる。第１直交カバーで利用できる循環桁送りをすべて使い果たした後、増加循環桁送りを、第２直交カバーおよび第４直交カバー（例：直交カバー１および３）に対応する列の間で交互に配分することができる。最後に、第２直交カバーおよび第４直交カバーで利用できるリソーススロットを使い果たした後、第３直交カバー（例：直交カバー２）に関連する列の増加循環桁送りに対応するリソーススロットを割り当てることができる。
【００４１】
１つの態様によると、上記の例示的なリソース配分機能を以下のように定義することができる。
【数３】
2011519200.tif 000007
【００４２】
ここでｎｓはスロットインデックスを表し、ｎ’（ｎｓ）はユーザに割り当てられるリソースインデックスを表し、ｎｏｃ（ｎｓ）はリソースグリッド４０４で配分されるスロットに関連する直交カバーインデックスに対応し、ｎｃｓ（ｎｓ）はリソースグリッド４０４で配分されるスロットに関連する循環桁送りインデックスに対応する。よって、上記の式を利用することによって、ｎ’（ｎｓ）番目のユーザに対し、リソースグリッド４０４のｎｏｃ（ｎｓ）番目の列およびｎｃｓ（ｎｓ）番目の行を割り当てることができることが理解できよう。１つの例では、Ｎ’は、リソース配分で利用されるリソースグリッド４０４の行および／または循環桁送りの数を表す。よって、すべてのリソースグリッド４０４が配分される場合、Ｎ’はリソースグリッドの行数（例：１２）に等しくなり得る。あるいは、リソースグリッド４０４の一部が他の目的で利用される場合、リソース配分に使用される行の数に対応する、より小さい値のＮ’を使用することができる。さらに、ａ（ｎｓ）はマッピング要素を表し、これを利用して循環桁送りインデックスｎｃｓ（ｎｓ）を時間遅延にマップすることができる。上記の式が示すように、これは、単位円における
【数４】
2011519200.tif 000008
【００４３】
個の均一の角度に関してリソースグリッド４０４で表される循環桁送りを定義することによって達成することができ、ここで
【数５】
2011519200.tif 000009
【００４４】
は、リソースグリッド４０４で利用される循環桁送りの数（例：１２）である。
【００４５】
上記の式でさらに使用されているように、
【数６】
2011519200.tif 000010
【００４６】
はシフト増分値であり、これを利用してリソースグリッド４０４で各インデックス付きユーザ間の距離を明らかにすることができる。様々な値にシフト増分の値を設定することによって、干渉とリソース使用との間でトレードオフを調整できることが理解できよう。例えば、図５〜７のテーブル５００〜７００は、
【数７】
2011519200.tif 000011
【００４７】
の可変値に対し上記の式を適用することから生じ得る様々なリソースグリッドのマッピングを示している。具体的には、図５のテーブル５００は
【数８】
2011519200.tif 000012
【００４８】
値２を示しており、これを使用して１８人のユーザを収容することができる。図６のテーブル６００は
【数９】
2011519200.tif 000013
【００４９】
値３を示しており、これを使用して１２人のユーザを収容することができる。図７のテーブル７００は
【数１０】
2011519200.tif 000014
【００５０】
値１を示しており、これを使用して３６人のユーザを収容することができる。
【００５１】
上記の式でさらに使用されているように
【数１１】
2011519200.tif 000015
【００５２】
は、リソースグリッド４０４のすべての要素に適用できるグローバルシフト（global shift）を表す。例えば、これを適用して、リソースグリッド４０４を利用する隣接セル間の干渉の影響を緩和することができる。
【００５３】
１つの例では、
【数１２】
2011519200.tif 000016
【００５４】
を各セルの識別子に基づき生成して、リソースグリッド４０４が近隣セル間で時間的に可変遅延を有するようにすることができる。例えば、
【数１３】
2011519200.tif 000017
【００５５】
を擬似乱数値として生成することができ、この擬似乱数値を、当該値を実施するセルの識別子の関数によりシードすること、および／または他の方法で当該識別子の関数として生成することができる。同様に、
【数１４】
2011519200.tif 000018
【００５６】
は、リソースグリッド４０４および／またはリソース配分で利用されるリソースグリッド４０４の一部（例えば、Ｎ’がリソースグリッド４０４の行の総数を下回る場合）に適用できる別のシフト要素を表す。１つの例では、
【数１５】
2011519200.tif 000019
【００５７】
は所定値であってよく、これは定数および／またはセル識別子に関する指定済み機能に基づき決定される値であってよい。
【００５８】
上記の式がさらに示すように、リソース配分は、通常のＣＰが使用されるか、拡張ＣＰが使用されるかに基づき異なることがある。非限定的な例では、通常のＣＰの場合におけるリソース配分は、４つの直交カバーを利用し、第１直交カバーを占有し、第２直交カバーと第４直交カバーとの間で交替し、次いで第３直交カバーを占有することができる（上述のとおり）。あるいは、拡張ＣＰの場合におけるリソース配分は、３つの直交カバーを利用し、直交カバーがそれぞれ使い果たされるまで順番に各直交カバーを占有することができる。
【００５９】
１つの態様によると、本明細書で説明するリソース配分技法では、従来の技法の性能を改善することができる。例えば、従来のリソースグリッド配分技法は、チャネル分散およびドップラー効果による直交性低下の評価に基づき利用されている。チャネル分散による直交性低下は循環桁送りの分離によるもので、ドップラー効果による直交性低下は直交カバー対の要素毎積によるものであることが理解できよう。さらに、要素毎積ｎｏｃ（ｎｓ）＝１および１組の｛ｎｏｃ（ｎｓ）＝０，ｎｏｃ（ｎｓ）＝２｝は、要素毎積ｎｏｃ（ｎｓ）＝３および１組の｛ｎｏｃ（ｎｓ）＝０，ｎｏｃ（ｎｓ）＝２｝と同じであることが理解できよう。別の言い方をすれば、要素毎積ｎｏｃ（ｎｓ）＝１および１組の｛ｎｏｃ（ｎｓ）＝０，ｎｏｃ（ｎｓ）＝２｝は｛［＋１  −１  ＋１  −１］，［＋１  ＋１  −１  −１］｝であり、要素毎積ｎｏｃ（ｎｓ）＝３および１組の｛ｎｏｃ（ｎｓ）＝０，ｎｏｃ（ｎｓ）＝２｝は｛［＋１  ＋１  −１  −１］，［＋１  −１  ＋１  −１］｝である。その結果、完全にロードされたＰＵＣＣＨの場合では、ｎｏｃ（ｎｓ）＝１のチャネル分散による直交性の低下は、同一のｎｏｃ（ｎｓ）＝１直交カバーにマップされる直近の循環桁送りまでの距離が２倍になることによって軽減可能であり、他の場合における直交性の低下は変わらないことが理解できよう。さらに、部分的にロードされたＰＵＣＣＨの場合では、ｎ’（ｎｓ）には、同じ直交性が維持されるよう最初に偶数値を代入できることが理解できよう。
【００６０】
次いで図８〜９を参照すると、本明細書に記載する様々な態様による実施可能な方法が示されている。説明を簡単にするため、この方法は、一連の動作として示し説明しているが、この方法は動作の順序によって限定されず、いくつかの動作は、１つまたは複数の態様により、異なる順序で、かつ／または本明細書において示し説明しているものとは異なる他の動作と同時に生じてよいことを理解し認識すべきである。例えば、当業者は、１つの方法を、状態図などで一連の相関する状態またはイベントとして代替的に示すことができることを理解し認識する。また、１つまたは複数の態様による方法を実施するために、例示したすべての動作が要求されるわけではない。
【００６１】
図８を参照すると、１人または複数のユーザ（例：ＵＥ１２０）を１組の通信リソースに多重化する方法８００が示されている。方法８００は、例えば基地局（例：基地局１１０）および／またはその他の適切なネットワークデバイスによって実施できることを理解すべきである。方法８００はブロック８０２で始まり、ブロック８０２において、時間および／または周波数の１組のＡＣＫ／ＮＡＣＫリソースが特定される。次に、ブロック８０４において、ブロック８０２で特定されたＡＣＫ／ＮＡＣＫリソースが１つまたは複数の循環桁送りおよび４つの直交カバー（例えばデータリソースグリッド４０４が示すようなもの）で分割される。次いで方法８００はブロック８０６で完結する。ブロック８０６では、少なくとも１つのリソース配分機能（例：上述のリソース配分機能）により、（例えば、リソースグリッド４０４でスロットとして表される）可変の循環桁送りおよび／または直交カバーを各ユーザに配分することによって、１人または複数のユーザが特定済みリソースに多重化される。
【００６２】
図９は、制御チャネル（例：ＰＵＣＣＨ）に対応するそれぞれの循環桁送りおよび直交カバーに１組のインデックス付きユーザをマップするリソース配分機能を実施する方法９００を示している。方法９００は、例えば、発展型ノードＢ（ｅＮＢ）および／またはその他の適切なネットワークデバイスにより実施することができる。方法９００はブロック９０２で始まり、ブロック９０２では１組のリソースおよび当該リソースの配分先である１組のＵＥが特定される。ブロック９０４において、ブロック９０２で特定されたリソースに対応するリソースグリッドが生成され、それによりグリッドが時間の１２の循環桁送りおよびコードの４つの直交カバーを包含する。次に、ブロック９０６において、リソースグリッドに関連するシフト増分（例：
【数１６】
2011519200.tif 000020
【００６３】
）が特定される。ブロック９０８において、増加リソースインデックス（例：ｎ’（ｎｓ））が、ブロック９０２で特定されたＵＥに割り当てられる。
【００６４】
ブロック９０２〜９０８で説明した動作の完了に伴い、方法９００はブロック９１０で完結することができる。ブロック９１０では、ブロック９０２で特定されたＵＥが、ブロック９０８でＵＥに割り当てられたリソースインデックスに基づき、９０４で生成されたリソースグリッドのリソースにマップされる。ブロック９１０ではリソース配分機能に基づきマッピングを行うことができ、リソース配分機能を利用して、シフト増分との関係で増加循環桁送りで第１直交カバーを進み、第１直交カバーの使い果たしに伴いシフト増分との関係で増加循環桁送りで第２直交カバーと第４直交カバーとの間で交替し、第２直交カバーおよび第４直交カバーの使い果たしに伴いシフト増分との関係で増加循環桁送りで第３直交カバーを進むことができる。
【００６５】
次いで図１０を参照すると、後続の配分のための制御リソースの分割を容易にする装置１０００が示されている。装置１０００は、機能ブロックを含むものとして示されており、これはプロセッサ、ソフトウェア、またはこれらの組み合わせ（例：ファームウェア）によって実施される機能を表す機能ブロックであってよいことを理解すべきである。装置１０００は基地局（例：基地局１１０）によって実施することができ、１組のＡＣＫ／ＮＡＣＫデータリソースを特定するためのモジュール１００２および１つまたは複数の循環桁送りおよび４つの直交カバーを含むリソースグリッド構造にＡＣＫ／ＮＡＣＫデータリソースを分割するためのモジュール１００４を含むことができる。
【００６６】
図１１は、本明細書で説明する機能の様々な態様を実施するために利用できるシステム１１００のブロック図である。１つの例では、システム１１００は基地局またはノードＢ１１０２を含む。図示されているように、ノードＢ１１０２は、１つまたは複数の受信（Ｒｘ）アンテナ１１０６を介して１つまたは複数のＵＥ１１０４から（１つまたは複数の）信号を受信し、１つまたは複数の送信（Ｔｘ）アンテナ１１０８を介して１つまたは複数のＵＥ１１０４へ送信することができる。また、ノードＢ１１０２は、（１つまたは複数の）受信アンテナ１１０６から情報を受信する受信機１１１０を備えることができる。１つの例では、受信機１１１０は、受信した情報を復調する復調器（Ｄｅｍｏｄ）１１１２と動作可能な形で結び付くことができる。次いで、復調済み記号はプロセッサ１１１４によって分析することができる。プロセッサ１１１４はメモリ１１１６と結合することができ、メモリ１１１６は、コードクラスタ、アクセス端末割り当て、アクセス端末割り当てに関するルックアップテーブル、固有スクランブルシーケンスに関連する情報および／または他の適切な種類の情報を保存することができる。１つの例では、ノードＢ１１０２はプロセッサ１１１４を用いて方法８００、９００および／または他の同様の適切な方法を実施することができる。ノードＢ１１０２はまた、変調器１１１８を含むことができ、変調器１１１８は、送信機１１２０が（１つまたは複数の）送信アンテナ１１０８を介して送信する信号を多重化することができる。
【００６７】
図１２は、本明細書で説明する機能の様々な態様を実施するために利用できる別のシステム１２００のブロック図である。１つの例では、システム１２００はモバイル端末１２０２を含む。図示されているように、モバイル端末１２０２は、１つまたは複数のアンテナ１２０８を介して１つまたは複数の基地局１２０４から（１つまたは複数の）信号を受信し、１つまたは複数の基地局１２０４へ送信することができる。また、モバイル端末１２０２は、（１つまたは複数の）アンテナ１２０８から情報を受信する受信機１２１０を備えることができる。１つの例では、受信機１２１０は、受信した情報を復調する復調器（Ｄｅｍｏｄ）１２１２と動作可能な形で結び付くことができる。次いで、復調済み記号はプロセッサ１２１４によって分析することができる。プロセッサ１２１４はメモリ１２１６と結合することができ、メモリ１２１６は、モバイル端末１２０２に関するデータおよび／またはプログラムコードを保存することができる。モバイル端末１２０２はまた、変調器１２１８を含むことができ、変調器１２１８は、送信機１２２０が（１つまたは複数の）アンテナ１２０８を介して送信する信号を多重化することができる。
【００６８】
次いで図１３を参照すると、様々な態様による無線多元接続通信システムが示されている。１つの例では、アクセスポイント１３００は複数のアンテナグループを含む。図１３に示されているように、１つのアンテナグループはアンテナ１３０４および１３０６を含むことができ、別のアンテナグループは１３０８および１３１０を含むことができ、さらに別のアンテナグループは１３１２および１３１４を含むことができる。図１３では、各アンテナグループにつきアンテナは２つのみ示されているが、各アンテナグループにこれよりも多いアンテナまたは少ないアンテナを用いてよいことを理解すべきである。別の例では、アクセス端末１３１６は、アンテナ１３１２および１３１４と通信することができ、アンテナ１３１２および１３１４は、順方向リンク１３２０を介してアクセス端末１３１６に情報を送信し、逆方向リンク１３１８を介してアクセス端末１３１３から情報を受信する。追加的かつ／または代替的に、アクセス端末１３２２は、アンテナ１３０６および１３０８と通信することができ、アンテナ１３０６および１３０８は、順方向リンク１３２６を介してアクセス端末１３２２に情報を送信し、逆方向リンク１３２４を介してアクセス端末１３２２から情報を受信する。周波数分割二重通信システムでは、通信リンク１３１８、１３２０、１３２４および１３２６は、通信に際して異なる周波数を用いることができる。例えば、順方向リンク１３２０は、逆方向リンク１３１８が用いる周波数と異なる周波数を用いることができる。
【００６９】
各アンテナグループおよび／またはアンテナが通信するよう設計されたエリアを、アクセスポイントのセクターと呼ぶことができる。１つの態様によると、アンテナグループを、アクセスポイント１３００が対象とするエリアのセクターにあるアクセス端末と通信するよう、設計することができる。順方向リンク１３２０および１３２６を介した通信では、アクセスポイント１３００の送信アンテナは、様々なアクセス端末１３１６および１３２２向けの順方向リンクの信号対雑音比を改善するため、ビームフォーミングを利用することができる。また、対象エリアにランダムに分布するアクセス端末に送信するためビームフォーミングを使用するアクセスポイントは、すべてのアクセス端末に単一アンテナを介して送信するアクセスポイントよりも、隣接するセルにあるアクセス端末への干渉が少ない。
【００７０】
アクセスポイント、例えばアクセスポイント１３００は、端末との通信に使用される固定局であってよく、基地局、ノードＢ、アクセスネットワークおよび／または他の適切な用語で呼ばれることもある。また、アクセス端末、例えばアクセス端末１３１６または１３２２は、モバイル端末、ユーザ機器、無線通信デバイス、端末、無線端末および／または他の適切な用語で呼ばれることもある。
【００７１】
次いで図１４を参照すると、本明細書で説明する様々な態様が機能することができる例示的な無線通信システム１４００を示すブロック図が提示されている。１つの例では、システム１４００は，送信機システム１４１０および受信機システム１４５０を含む複数入力複数出力（ＭＩＭＯ）システムである。しかし、送信機システム１４１０および／または受信機システム１４５０を複数入力単一出力システムに適用することもでき、この場合、例えば（例えば基地局における）複数の送信アンテナは１つまたは複数の記号ストリームを単一のアンテナデバイス（例：移動局）に送信できることを理解すべきである。また、本明細書で説明する送信機システム１４１０および／または受信機システム１４５０の態様を、単一入力単一出力方式のアンテナシステムと共に利用できることも理解すべきである。
【００７２】
１つの態様によると、いくつかのデータストリームのトラフィックデータが、送信機システム１４１０においてデータ送信装置１４１２から送信（ＴＸ）データプロセッサ１４１４に提供される。１つの例では、次いで各データストリームを各送信アンテナ１４２４を介して送信することができる。また、ＴＸデータプロセッサ１４１４は、各データストリームのトラフィックデータを、各データストリームのために選択された特別のコード体系に基づきフォーマット、コード化およびインターリーブして、コード化データを提供することができる。１つの例では、続いて各データストリームのコード化データを、ＯＦＤＭ技法を用いてパイロットデータで多重化することができる。パイロットデータは、例えば既知の方法で処理される既知のデータパターンであってよい。さらに、パイロットデータを受信機システム１４５０で使用してチャネル応答を推定することができる。送信機システム１４１０に戻ると、各データストリームの多重化されたパイロットおよびコード化データを、各データストリームのために選択された特別の変調体系（例：ＢＰＳＫ、ＱＳＰＫ、Ｍ−ＰＳＫまたはＭ−ＱＡＭ）に基づき変調（すなわち、シンボルマップ）して、変調記号を提供することができる。１つの例では、各データストリームのデータ率、コーディングおよび変調を、プロセッサ１４３０で実行され、かつ／またはプロセッサ１４３０によって提供される命令によって決定することができる。
【００７３】
次に、すべてのデータストリームの変調記号をＴＸプロセッサ１４２０へ提供することができ、ＴＸプロセッサ１４２０は（例えばＯＦＤＭのために）変調記号をさらに処理することができる。次いで、ＴＸ  ＭＩＭＯプロセッサ１４２０は、ＮＴ変調記号ストリームを１４２２ａから１４２２ｔまでのＮＴトランシーバに提供することができる。１つの例では、各トランシーバ１４２２は、各記号ストリームを受信し処理して、１つまたは複数のアナログ信号を提供することができる。次いで各トランシーバ１４２２は、アナログ信号を条件設定（例：増幅、フィルタリングおよびアップコンバート）して、ＭＩＭＯチャネルでの伝送に適した変調信号を提供することができる。したがって、続いて１４２２ａから１４２２ｔまでのトランシーバからのＮＴ変調信号を、それぞれ１４２４ａから１４２４ｔまでのＮＴアンテナから送信することができる。
【００７４】
別の態様によると、送信済み変調信号を、受信機システム１４５０においてＮＲアンテナ１４５２ａから１４５２ｒまでによって受信することができる。次いで、各アンテナ１４５２により受信された信号を、各トランシーバ１４５４に提供することができる。１つの例では、各トランシーバ１４５４は、各受信信号を条件設定（例：フィルタリング、増幅およびダウンコンバート）し、し、条件設定された信号をデジタル化してサンプルを提供することができ、次いでサンプルを処理して対応する「受信」記号ストリームを提供する。次いで、ＲＸ  ＭＩＭＯ／データプロセッサ１４６０が、特別の受信機処理技法に基づいて、ＮＲトランシーバ１４５４からのＮＲ受信記号ストリームを受信および処理して、ＮＴ「検出」記号ストリームを提供することができる。１つの例では、各検出記号ストリームは、対応するデータストリームのため送信される変調記号の推定である記号を含むことができる。次いでＲＸプロセッサ１４６０は、各検出記号ストリームの復調、ディインターリーブおよび復号によって各記号ストリームを少なくとも部分的に処理して、対応するデータストリームのトラフィックデータを回復することができる。こうして、ＲＸプロセッサ１４６０による処理は、送信機システム１４１０におけるＴＸ  ＭＩＭＯプロセッサ１４２０およびＴＸデータプロセッサ１４１６によって実行される処理と相補的となり得る。ＲＸプロセッサ１４６０は、処理済み記号ストリームをデータ受信装置１４６４に追加提供することができる。
【００７５】
１つの態様によると、ＲＸプロセッサ１４６０によって生成されるチャネル応答推定を使用して、受信機での空間／時間処理、電力水準の調整、変調速度もしくは方法の変更および／または他の適切な行動を実行することができる。また、ＲＸプロセッサ１４６０はさらに、例えば、検出された記号ストリームの信号対雑音干渉電力比（ＳＮＲ）のようなチャネル特性を推定する。次いで、ＲＸプロセッサ１４６０は、推定済みチャネル特性情報をプロセッサ１４７０に提供することができる。１つの例では、ＲＸプロセッサ１４６０および／またはプロセッサ１４７０はさらに、システムの「稼動」ＳＮＲの推定を導出することができる。次いで、プロセッサ１４７０は、チャネル状態情報（ＣＳＩ）を提供することができ、ＣＳＩは通信リンクおよび／または受信済みデータストリームに関する情報を備えることができる。この情報は、例えば、稼動ＳＮＲを含むことができる。次いでＣＳＩを、ＴＸデータプロセッサ１４１８が処理し、変調器１４８０が変調し、１４５４ａ〜１４５４ｒのトランシーバが条件設定し、送信機システム１４１０に返信することができる。また、受信機システム１４５０におけるデータ送信装置１４１６は、ＴＸデータプロセッサ１４１８によって処理される追加データを提供することができる。
【００７６】
次いで送信機システム１４１０に戻って、受信機システム１４５０からの変調信号を、アンテナ１４２４が受信し、トランシーバ１４２２が条件設定し、復調器１４４０が復調し、ＲＸデータプロセッサ１４４２が処理して受信機システム１４５０によって報告されたＣＳＩを回復することができる。１つの例では、続いて報告済みＣＳＩをプロセッサ１４３０に提供し、これを使用して、１つまたは複数のデータストリームで使用されるデータ率ならびにコーディングおよび変調方法を決定することができる。次いで決定されたコーディングおよび変調方法をトランシーバ１４２２に提供して、受信機システム１４５０への後の伝送で量子化および／または使用する。追加的かつ／または代替的に、報告済みＣＳＩをプロセッサ１４３０が使用して、ＴＸデータプロセッサ１４１４およびＴＸ  ＭＩＭＯプロセッサ１４２０のための様々な制御を行うことができる。別の例では、ＲＸデータプロセッサ１４４２によって処理されたＣＳＩおよび／または他の情報をデータ受信装置１４４４に提供することができる。
【００７７】
１つの例では、送信機システム１４１０のプロセッサ１４３０および受信機システム１４５０のプロセッサ１４７０は、各システムにおける処理を指示する。また、送信機システム１４１０のメモリ１４３２および受信機システム１４５０のメモリ１４７２は、それぞれプロセッサ１４３０および１４７０によって使用されるプログラムコードおよびデータの記憶を行うことができる。さらに、受信機システム１４５０では、様々な処理技法を使用してＮＲ受信信号を処理することでＮＴ送信記号ストリームを検出することができる。こうした受信機処理技法は、空間および空間−時間受信機処理技法を含むことができ、これは、等化技法および／または「連続ヌル／等化および干渉除去」受信機処理技法とも呼ばれることもあり、さらにこれは「連続干渉除去」または「連続除去」受信機処理技法と呼ばれることもある。
【００７８】
本明細書で説明した態様は、ハードウェア、ソフトウェア、ファームウェア、ミドルウェア、マイクロコードまたはこれらの組み合わせによって実施できることを理解すべきである。システムおよび／または方法がソフトウェア、ファームウェア、ミドルウェアまたはマイクロコード、プログラムコードまたはコードセグメントで実施される場合、これらを記憶コンポーネントのような機械可読媒体に保存することができる。コードセグメントは、手順、機能、サブプログラム、プログラム、ルーチン、サブルーチン、モジュール、ソフトウェアパッケージ、クラス、または命令、データ構造もしくはプログラム文の任意の組み合わせであり得る。情報、データ、引数、パラメータ、またはメモリ内容の受け渡しおよび／または受信によって、コードセグメントを別のコードセグメントおよび／またはハードウェア回路に結合することができる。記憶空間の共有、メッセージ受け渡し、トークンパッシング、ネットワーク伝送などの任意の適切な手段を用いて、情報、引数、パラメータ、データなどの受け渡し、転送または送信を行うことができる。
【００７９】
ソフトウェア実装の場合、本明細書で説明する技法は、本明細書で説明する機能を実行するモジュール（例：手順、機能など）で実施することができる。ソフトウェアコードを、記憶装置に保存し、プロセッサが実行することができる。記憶装置は、プロセッサの内部またはプロセッサの外部に実装することができ、その場合、当技術分野で知られている各種手段によってプロセッサに通信可能な形で結合することができる。
【００８０】
上で説明した内容は、１つまたは複数の態様の例を含む。当然ながら、上述の態様を説明する目的でコンポーネントまたは方法の考えられるすべての組み合わせを説明することはできないが、各種態様の多くのさらなる組み合わせおよび順列が可能であることを当業者は理解できよう。したがって、説明した態様は、添付の請求項の精神および範囲の中にあるすべてのかかる変更形態、修正形態および変形形態を包含することを意図したものである。さらに、詳細な説明または特許請求の範囲のいずれかにおいて「含む（ｉｎｃｌｕｄｅｓ）」という用語が使用されている範囲では、かかる用語は、「備える（ｃｏｍｐｒｉｓｉｎｇ）」という用語が特許請求の範囲の中で移行語（transitional word）として使用されるときに解釈されるのと同様に包含的であることを意図している。さらに、詳細な説明または特許請求の範囲のいずれかにおいて使用される「または、もしくは（ｏｒ）」という用語は、「非排他的または（non-exclusive or）」であることを意味する。
【図１】
2011519200.tif 000021
【図２】
2011519200.tif 000022
【図３】
2011519200.tif 000023
【図４】
2011519200.tif 000024
【図５】
2011519200.tif 000025
【図６】
2011519200.tif 000026
【図７】
2011519200.tif 000027
【図８】
2011519200.tif 000028
【図９】
2011519200.tif 000029
【図１０】
2011519200.tif 000030
【図１１】
2011519200.tif 000031
【図１２】
2011519200.tif 000032
【図１３】
2011519200.tif 000033
【図１４】
2011519200.tif 000034
【国際調査報告】
2011519200.tif 000035
2011519200.tif 000036
2011519200.tif 000037